(57)【特許請求の範囲】
【請求項１】
換気ガスを供給するベンチレータと、
患者気道と連通する解放された遠位端と、周囲空気と連通する解放された近位端と、前記遠位端から前記近位端の間に伸びる気流チャネルとを含む患者インタフェースと、
周囲空気が前記患者インタフェースの外側から前記患者気道に流れることを可能にするために、前記患者インタフェースを閉塞せずに前記患者インタフェースに結合するように構成されるガス送達回路と
を含み、前記換気ガスが、周囲及び前記患者気道から空気を取り込むようされて成り、
前記患者インタフェースの前記遠位端及び前記近位端の間の中間の１つ以上の開窓と、
前記ガス送達回路が、前記気流チャンネル内に位置するノズルを含み、かつ前記ノズルが、換気ガスを供給する時に、前記患者インタフェースの前記遠位端及び前記近位端の間の中間の前記１つ以上の開窓の近くに位置決めされて成る換気システム。
【請求項２】
前記周囲空気が、少なくとも前記換気ガスの適用中に、患者インタフェースを通って流れる請求項１に記載の換気システム。
【請求項３】
前記患者インタフェースが、気道管; マスク; カニューレ; 及びその組み合わせからなる群から選択される請求項１に記載の換気システム。
【請求項４】
前記ガス送達回路の遠位端が、コネクタを介して前記患者インタフェースの内面に接続する請求項１に記載の換気システム。
【請求項５】
前記ガス送達回路の遠位端が、コネクタを介して前記患者インタフェースに取り付けられ、前記コネクタが、前記患者気道及び周囲の間に気流を可能にする１つ以上の弁を含む請求項１に記載の換気システム。
【請求項６】
ベンチレータガスが、容量がユーザによって選択される、患者の吸気サイクルと同期化される容量として; 連続的に; 前記ベンチレータによって決定される率で周期的に送達される容量として; ある期間にわたり必須数の呼吸を送達するためのバックアップ率及び患者の呼吸と周期的に同期化される容量として; 呼吸作業を減少させるために、吸気サイクル中及びＰＥＥＰを作るための呼気サイクル中に、周期的容量として; 及びその組み合わせからなる群から選択されるサイクルで送達される請求項１に記載の換気システム。
【請求項７】
前記ノズルが、前記換気ガスを前記患者インタフェースの遠位端での開口部に向かって向けるために曲げられる請求項１に記載の換気システム。
【発明の詳細な説明】
【技術分野】
【０００１】
（優先出願）
本出願は、２００８年８月２２日に出願された米国仮特許出願第６１／０９１，１９８号及び２００９年８月２２日に出願された米国仮特許出願第６１／１３６，２６９号に対する優先権を請求し、その開示は、参照により全体として本明細書に組み込まれる。
【０００２】
（関連出願の相互参照）
本出願は更に：２００４年２月４日に出願された米国非仮特許出願第１０／７７１，８０３号（米国特許出願公開第２００５／００３４７２１号）、２００４年６月１７日に出願された米国非仮特許出願第１０／８７０，８４９号（米国特許出願公開第２００５／０００５９３６号）及び２００８年９月２６日に出願された米国非仮特許出願第１２／２３９，７２３号（米国特許出願公開第２００９／０１５１７２４号）を、参照により全体として組み込む。
（技術分野）
【０００３】
本発明は、呼吸器障害及び呼吸疾患、例えば慢性閉塞性肺疾患（ＣＯＰＤ, Chronic Obstructive Pulmonary Disease)、肺線維症、急性呼吸窮迫症候群（ＡＲＤＳ, Acute Respiratory Distress Syndrome)、神経筋障害、睡眠時無呼吸、インフルエンザ、種々の形状の大量死傷者、及び軍事使用、並びに／又は他の呼吸及び気道障害に苦しむ人々のための換気治療に関する。更に具体的には、本発明は、開放気道換気システムにおいて患者への機械呼吸支援を提供することに関する。
【背景技術】
【０００４】
機械換気制御モードには２つの一般的なタイプがある。第１のタイプは、患者の活動と無関係である臨床医によって選択された頻度に基づきガスを患者に送達する。調節機械換気として知られるこのタイプの換気は、患者の意識がはっきりしていない、鎮静状態にある、無反応である、又は麻痺状態にある時のように、患者にとって呼吸するためにベンチレータが必要である時に使用される。補助機械換気、又は補助換気、又は増強換気として知られる第２のタイプの換気は、患者によって発生した吸気努力に応答して患者にガスを送達する。このタイプの換気は、患者がＣＯＰＤのような呼吸不全を有する時のように、患者が呼吸することを助ける。以上に記載した２つの換気モードを組み合わせるベンチレータ及び換気モードもある。
【０００５】
全てのベンチレータの使用において、ベンチレータから患者にガスを送達するためにガス送達回路が、必要とされる。患者の気道と連通する換気患者インタフェースも必要とされる。ガス送達回路は、ベンチレータがガス送達回路及び患者インタフェースを通して患者の気道に空気を送達できるように、患者インタフェースに接続する。これらのインタフェースは、鼻及び／若しくは口の上のマスク又は鼻カニューレのように非侵襲的であり得るか、又は患者の気道に挿入される気管内チューブ、気管切開チューブ、又は経気管カテーテルのように侵襲的であり得る。
【０００６】
呼吸支援換気の更に具体的な場合において、患者は、患者の呼吸道が通常の上気道呼吸経路（口及び鼻）を通して雰囲気に対して開放されることを意味する「開放気道」システムとして知られる患者インタフェース構成によりベンチレータからガスを受ける。開放気道換気（ＯＡＶ, Open Airway Ventilation)は、使用される場合、呼吸支援を必要とする、自発的に呼吸する患者により概して使用される; しかしながら、ＯＡＶは、呼吸できないベンチレータ依存性患者にも使用できる。前者の場合に、患者は、「自発的に」又は上気道を通して自然に呼吸できるが、呼吸は、「開放」患者インタフェースを通してベンチレータから追加のガスを受けることによって増強される。この治療の目標は、閉鎖気道陽圧換気の種々の問題、制限、煩わしさ及び副作用が患者の負担とならないように、ＯＡＶシステムにより患者の呼吸作業を助けることである。このシステムは、特許文献１（Ｆｒｅｉｔａｇ）及び特許文献２（Ｗｏｎｄｋａ）に記載されている。この先行技術に記載された換気インタフェースは概して、患者の頸部を通して気管内腔に経皮的に挿入される経気管換気カテーテルであるか、又はカフ無しの気管切開チューブのような既存の気道管に挿入されるカテーテルである。あるいは、換気カテーテルは、ステント又は小孔ガイド、例えばモンゴメリＴ字管、又は気管内チューブ、又は気道プロテーゼに挿入される。ＯＡＶにおいて、肺に機械換気支援を提供することは、気道が開放しているならば、ベンチレータから送達される空気が上気道から漏出する可能性を有し、従ってシステムを無効にし、肺に送達できる追加の容量を限定するので、明らかに可能でない。それ故に、システムを有効かつ効率的にするために、特別な気流送達流体力学が必要であり、かつこれらの力学を達成するために、特別な送達システム及びインタフェース設計が必要である。
【先行技術文献】
【特許文献】
【０００７】
【特許文献１】米国特許第７，４８７，７７８号明細書
【特許文献２】米国特許出願公開第２００５／０００５９３６号明細書
【発明の概要】
【０００８】
本発明は、開放気道換気システムにおいて換気機械支援を提供する方法及びシステムに向けられる。本発明の実施態様において、換気システムは、換気ガスを供給するベンチレータを含むことができる。患者インタフェースは、患者気道と連通する遠位端と、周囲空気と連通する近位端と、遠位端及び近位端の間の気流チャネルとを含むことができる。ガス送達回路は、周囲空気が患者インタフェースの外側から患者気道に流れることを可能にするために、患者インタフェースを閉塞せずに患者インタフェースに結合するように構成できる。換気ガスは、周囲及び患者気道から空気を取り込むことができる。
【０００９】
本発明のもう一つの実施態様において、換気システムは、換気ガスを供給するベンチレータを含むことができる。患者インタフェースは、患者気道と連通する遠位端と、周囲空気と連通する近位端と、遠位端及び近位端の間の気流チャネルとを含むことができる。ガス送達回路は、周囲空気が患者インタフェースの外側から患者気道に流れることを可能にするために、患者インタフェースを閉塞せずに患者インタフェースに結合するように構成できる。ガス送達回路は、ガス送達回路の遠位端にノズルを含むことができ、かつノズルは、換気ガスを供給する時、患者インタフェースの外側に位置決めされる。
【００１０】
本発明のもう一つの実施態様において、換気システムは、換気ガスを供給するベンチレータを含むことができる。患者インタフェースは、患者気道と連通する遠位端と、周囲空気と連通する近位端と、遠位端及び近位端の間の気流チャネルとを含むことができる。遠位端は、１つ以上の開窓を含むことができる。ガス送達回路は、周囲空気が患者インタフェースの外側から患者気道に流れることを可能にするために、患者インタフェースを閉塞せずに患者インタフェースに結合するように構成できる。ガス送達回路は、患者インタフェース内に位置するノズルを含むことができ、ノズルは、換気ガスを供給する時、１つ以上の開窓に近接して位置決めされる。
【００１１】
本発明の実施態様は、ベンチレータと、ガス送達回路と、患者インタフェースとを含む換気システムを含むことができ、患者インタフェースは、患者気道と連通する遠位端と、周囲空気と連通する近位端とを含み、ガス送達回路は、周囲空気が患者インタフェースの外側から患者気道に流れることを可能にするために、患者インタフェースを閉塞せずに患者インタフェースに結合するように構成でき、かつガス送達回路は、患者インタフェースを通して患者気道にベンチレータガスを送達するように構成される。本発明の実施態様は、ベンチレータと、ガス送達回路と、患者インタフェースとを含む換気システムも含むことができ、患者インタフェースは、遠位端と、近位端と、近位端から遠位端に伸長する気流チャネルとを含み、遠位端は、患者気道と連通し、かつ近位端は、周囲空気と連通し、かつ（ａ）ガス送達回路は、ベンチレータに接続された第１端部と、患者インタフェースに接続された第２端部とを含み、かつ患者インタフェースへの第２端部接続部は、周囲空気が気流チャネルを通って気道に流れられるように、気流チャネルを閉塞せず、かつ（ｂ）ガス送達回路は、ベンチレータから患者気道にガスを送達する。本発明の実施態様は、ベンチレータと、ガス送達回路と、患者インタフェースとを含む換気システムも含むことができ、患者インタフェースは、遠位端と、近位端と、近位端から遠位端に伸長する気流チャネルとを含み、遠位端は、患者気道と連通し、かつ近位端は、周囲空気と連通し、かつ（ａ）ガス送達回路は、ベンチレータに接続された第１端部と、患者インタフェースに接続された第２端部とを含み、かつ患者インタフェースへの第２端部接続部は、周囲空気が気流チャネルを通って気道に流れられ、かつ肺空気が気流チャネルから周囲空気に流れられるように、気流チャネルを閉塞せず、かつ（ｂ）ガス送達回路は、ベンチレータから患者気道にガスを送達する。本発明の実施態様は、ベンチレータと、ガス送達回路とを含む換気システムも含むことができ、ガス送達回路は、ベンチレータに接続するように構成された第１端部と、換気患者インタフェースに接続するように構成されたコネクタを含む第２端部とを含み、第２端部コネクタは、換気患者インタフェースに接続するように構成され、従って換気患者インタフェースは、開放チャネルによって周囲空気が周囲から患者インタフェースを通って気道に流れられるように開放チャネルを保持する。
【００１２】
本発明の実施態様は、ベンチレータガスが、患者の吸気サイクルと同期される容量として送達されることも含むことができ、容量はユーザによって選択される。ベンチレータガスは、患者の呼吸、及びある期間にわたる必須の呼吸数を送達するためのバックアップ率と周期的に同期される容量として、又は呼吸作業を減少させるための吸気サイクル中、及びＰＥＥＰを生じさせるための呼気サイクル中に、周期的に容量としてベンチレータによって決定される率で周期的に、連続的に送達できる。システムは、肺病、呼吸疾患又は神経筋疾患を治療するために使用できる。システムは、携帯用ガス供給源により使用でき、かつ可動性を向上させるために使用できる。患者インタフェースは、気道管、気管切開チューブ、Ｔ字管、及び小孔ステント、小孔、気管内チューブ、経輪状甲状管(trans-cricothryoid tube)、経喉頭切除管(trans-laryngectomy tube)、マスク、鼻マスク、口マスク、鼻口マスク、カニューレ、経気管カニューレ、鼻カニューレ、口カニューレ、又は咽頭鼻カニューレであっても良い。
【００１３】
本発明の実施態様は、ガス送達回路の第２端部が２つのガス送達出口ポートを含む場合、換気患者インタフェースが、左及び右鼻カニューレを含み; ガス送達回路の第２端部が遠位先端部を含む場合、遠位先端部が、ガス送達ノズルを含み、かつ換気患者インタフェースの遠位端及び近位端の間にガス送達ノズルを設置するように構成され; ガス送達回路の遠位先端部が気道管の入口と同一平面上にある場合; ガス送達回路の遠位先端部が気道管への入口の外側にある場合; ガス送達回路の遠位先端部が直線部分から曲線部分への移行部と同一平面上にある場合; 患者インタフェースへのガス送達回路接続部が、ノズルの遠位先端部の位置を調整するための調整装置を含む場合のそれを含むことができる。
【００１４】
幾つかの実施態様において、患者インタフェースは、気道管であっても良く、かつ気道管は、開窓を含み、かつガス送達回路の遠位先端部は、開窓の近くに位置するか; ガス送達回路の遠位先端部は、薄型であり、ノズルは、ガス送達回路の遠位先端部内の側方ポートであるか; ガス送達回路の遠位先端部は、気道管の遠位端開口部の方角を指すように曲げられるか; ガス送達回路の遠位端は、エルボーコネクタにより患者インタフェースに結合するか; ガス送達回路の遠位端は、Ｔ字型コネクタにより患者インタフェースに結合するか; ガス送達回路の遠位端は、Ｌ字型コネクタにより患者インタフェースに結合するか; ガス送達回路の遠位端は、スイベルコネクタにより患者インタフェースに結合するか; ガス送達回路の遠位は、吸気方向での気流を可能にする一方向吸気弁を含むコネクタにより患者インタフェースに結合するか; ガス送達回路の遠位端は、吐出方向での気流を可能にする一方向呼気弁を含むコネクタにより患者インタフェースに結合するか; 患者インタフェースへのガス送達回路の遠位端接続部は、ＰＥＥＰ弁を含むか; 患者インタフェースへのガス送達回路の遠位端接続部は、ＰＥＥＰ弁を含み、ＰＥＥＰ弁が、調整装置を含むか; 患者インタフェースへのガス送達回路の遠位端接続部は、ＰＥＥＰ弁を含み、ＰＥＥＰ弁設定がベンチレータによって提供される圧力信号によって制御されるか; 患者インタフェースへのガス送達回路の遠位端接続部は、吸気及び呼気弁を含むか; 患者インタフェースへのガス送達回路の遠位端接続部は、吸気及びＰＥＥＰ弁を含むか; 患者インタフェースへのガス送達回路の遠位端接続部は、バッフル接続部を含むか; 患者インタフェースへのガス送達回路の遠位端接続部は、熱湿交換器を含むか; 患者インタフェースへのガス送達回路の遠位端接続部は、ＨＭＥとのコネクタと、吸気弁と、ＰＥＥＰ弁とを含むか; 患者インタフェースへのガス送達回路の遠位端接続部は、側方コネクタを有するコネクタを含むか; 患者インタフェースへのガス送達回路の遠位端接続部は、２つの側方コネクタを有するコネクタを含むか; ガス送達回路の遠位端接続部は、患者インタフェースの内部に接続するか; 又はガス送達回路の遠位端ノズルは、先細のＩＤを含み、先細のＩＤが、ノズルの遠位先端部で大きな寸法から小さい寸法にＩＤを制限する。
【００１５】
幾つかの実施態様において、ベンチレータガスは、毎秒５０〜３５０メートルの流出速度でガス送達回路の遠位端からジェットとして流出し; ベンチレータガスは、コネクタ外側から周囲空気を取り込むジェットとしてガス送達回路の遠位端から流出し、取り込みは、ベンチレータガスの２５〜３００％である。
【００１６】
幾つかの実施態様において、システムは、空気取り込み量を測定するためのセンサと、取り込み量を調整及び調節する制御ユニットとを含む。システムは、湿度送達、加湿内腔、又は加湿ガス送達接続機構を含むことができる。ガス送達回路の遠位端は、感知内腔及び感知ポートを含む感圧線である呼吸センサであっても良い呼吸センサ; 遠位方向に面する空気流路に直角の感知ポート; 近位方向に面する空気流路に直角の感知ポート; ガス流路に平行な感知ポート; 熱流センサ; 気道管への距離を伸長するように構成された気道感圧伸長線; 気道感圧チャネルを含むことができ、かつガス送達回路は、換気ガス送達チャネル、感圧チャネル、湿気送達チャネル、酸素引出（ｂｌｅｅｄ）送達チャネル、酸素及びＣＯ２感知チャネル、並びに熱センサワイヤチャネル; 又は患者インタフェース感知チャネルに接続するための感知コネクタを含む。
【００１７】
実施態様は、換気ガスが空気であり、かつ酸素が気道管に引き入れられる（ｂｌｅｄ  ｉｎ）か; 換気ガスが酸素であるか; 換気ガスがブレンドされる空気及び酸素であるか; 又は酸素感知機構; ＣＯ２感知機構の場合のそれを含むことができる。幾つかの実施態様において、ベンチレータは、所望のＦＩＯ２を達成するために、ガス出力パラメータを変化させるように構成されるか; ベンチレータは、所望の気道圧力を達成するために、ガス出力パラメータを変化させるように構成されるか; ベンチレータは、所望の肺容量を達成するために、ガス出力パラメータを変化させるように構成されるか; ベンチレータは、所望の吸気流量を達成するために、ガス出力パラメータを変化させるように構成されるか; ヘリウム、ＮＯ、ヘリオックスのような治療ガスは、患者インタフェースに引き入れられるか; 呼吸数、吸気強度、Ｉ：Ｅ比、吐出ガス組成のようなバイオフィードバックを使用して、患者活動レベルに基づき容量の送達を調整するための出力滴定アルゴリズム; 呼吸数、吸気強度、Ｉ：Ｅ比、吐出ガス組成のようなバイオフィードバックを使用して、患者の快適性及び活動レベルに基づき容量の送達の時期を調整するための出力誘発アルゴリズム; ブレンドされた空気及び酸素を送達すること、かつベンチレータがブレンダと、外部酸素及び空気供給源と、外部コンプレッサとを含むか; ブレンドされた空気及び酸素を送達すること、かつベンチレータがブレンダと、外部酸素及び空気供給源と、内部コンプレッサとを含むか; 又はブレンドされた空気及び酸素を送達すること、かつベンチレータがブレンダと、圧縮酸素ガス、液体酸素又は酸素濃縮器からなる群から選択される外部酸素供給源と、内部コンプレッサと、ガス分析器と、加湿ユニットと、マイクロプロセッサ制御システムと、肺容量センサとを含む。
【００１８】
本発明の追加の特徴、利点、及び実施態様は、以下の詳細な説明、図面及び請求項に示されるか、又はそれらを検討すれば明らかである。更に、前述の発明の概要及び以下の詳細な説明の両方とも、特許請求される発明の範囲を限定することなく、代表的なものであり、かつ更なる説明を提供するよう意図されることが理解されるべきである。
【００１９】
本発明の更なる理解を提供するために含まれる添付図面は、本明細書に組み込まれかつその一部を構成し、本発明の好ましい実施態様を示し、かつ詳細な説明と共に本発明の原理を説明する役目を果たす。
【図面の簡単な説明】
【００２０】
【図１】カフ付き気管内チューブを使用する先行技術の従来の閉鎖気道換気システムを示す。
【図２】密閉鼻マスクを使用する従来の非侵襲的換気システムを示す。
【図３】開放気道患者インタフェースを有する本発明の開放気道換気システムの概観を示す。
【図４】開放接続部を有する気管切開チューブ（ｔｒａｃｈ  ｔｕｂｅ）患者インタフェースに挿入され、気管切開チューブの途中まで伸長する換気カテーテルを有するガス送達回路を示す。
【図５】開放接続部を有する気管切開チューブ患者インタフェースに挿入され、遠位先端部が気管切開チューブの先端部から突き出るまで伸長する換気カテーテルを有するガス送達回路を示す。
【図６】ガス送達回路、及びスイベルエルボー接続部を有しかつスイベルエルボー接続部にキャップがかぶせられた有窓カフ付き気管切開チューブ患者インタフェースに接続され、遠位先端部が開窓の近くに位置決めされた換気カテーテルを示す。
【図７】ガス送達回路、及びスイベルエルボー接続部を有する有窓気管切開チューブ患者インタフェースに接続され、遠位先端部が開窓の近くに位置決めされる換気カテーテル及びを示す。
【図８】バッフル付き接続部により気道管に接続され、ノズルの先端部が気道管の近位端の外側に離れて位置するガス送達回路を示す。
【図９】開放アダプタにより気道管に接続されるガス送達回路を示し、気道に送達されるガス源を示し、かつ呼吸感知伸長管を示す。
【図１０】開放エルボーコネクタにより気道管に接続されたガス送達回路を示す。
【図１１】開放Ｔ字型コネクタにより気道管に接続されたガス送達回路を示す。
【図１２】開放スイベルエルボー接続部により気道管に接続されたガス送達回路を示す。
【図１３】摺動ノズル調整装置を有する開放アダプタコネクタにより気道管に接続されたガス送達回路を示す。
【図１４】開放アダプタ接続部により気道管に接続され、ガス送達ノズルが気道管の近位端の僅かに内側に位置するガス送達回路を示す。
【図１５】開放アダプタコネクタにより気道管に接続され、ガス送達ノズルが気道管の近位端の内側に離れて位置するガス送達回路を示す。
【図１６】気道管の近位端に直接接続された薄型接続部を有するガス送達回路を示す。
【図１７】薄型開放接続部が気道管の近位端の内側にある、薄型開放接続部により気道管に接続されたガス送達回路を示す。
【図１８】吸気弁の近位端上の吸気弁を有する、開放アダプタ接続部により気道管に接続されたガス送達回路を示す。
【図１９】側方コネクタ、側方コネクタに取り付けられたＨＭＥ、及び吸気弁を有する、開放エルボーアダプタによって気道管に接続されたガス送達回路を示す。
【図２０】側方接続部に取り付けられたＰＥＥＰ又は吐出弁並びに吸気弁を有する、開放エルボー接続部によって気道管に接続されたガス送達回路を示す。
【図２１】気道呼吸感知及び感圧のための伸長管並びに開放アダプタによって気道管に接続されたガス送達回路を示す。
【図２２】気道管が気道感知チャネルを有し、かつガス送達回路が感知チャネルに結合する接続部を有する、開放アダプタによって気道管に接続されたガス送達回路を示す。
【図２３】加湿送達接続機構を有する開放アダプタによって気道管に接続されたガス送達回路を示す。
【図２４】加湿カテーテルが取り付けられた、開放アダプタによって気道管に接続されたガス送達回路を示す。
【図２５】ガス送達回路内に一体呼吸感知及び加湿送達チャネルを有する開放アダプタによって気道管に接続されたガス送達回路を示す。
【図２６】図２５に示した構成のノズルの拡大図を示す。
【図２７】図２５に示したガス送達回路の側断面図を示す。
【図２８】１つ以上の感知ポートを有する気道管に接続されたガス送達回路を示す。
【図２９】図２８の断面Ａ−Ａに沿った断面図を示す。
【図３０】呼気流に面する呼吸感知ポートを有する図２８のノズルの拡大図を示す。
【図３１】吸気流に面する呼吸感知ポートを有する図２８のノズルの拡大図を示す。
【図３２】吸気及び呼気流に面する呼吸感知ポートを有する図２８のノズルの拡大図を示す。
【図３３】開放アダプタによって、かつ開放アダプタに取り付けられ、閉鎖又は一部閉鎖システムに変換する弁によって気道管に接続されたガス送達回路を示す。
【図３４】図３３に示した弁の拡大図を示す。
【図３５】図３３に示した弁に代わるものである調整可能な弁を示す。
【図３６】患者インタフェースマスクに接続されたガス送達回路を示す。
【図３７】患者インタフェースマスクの外側のノズルにより患者インタフェースマスクに接続されたガス送達回路を示す。
【図３８】外部ガス供給源と使用される場合の開放気道換気システムのシステム概略図を示す。
【図３９】内部コンプレッサ、ブレンダ、任意の外部ガス供給源、及び任意の加湿ユニットと使用される場合の開放気道換気システムのシステム概略図を示す。
【図４０】ガス組成分析器、内部ブレンダ、外部酸素供給源、及び肺容量センサを有する、閉鎖又は一部閉鎖システムに変換される開放気道換気システムのシステム概略図を示す。
【発明を実施するための形態】
【００２１】
幾つかの場合に特別な気流送達流体力学は、換気ガスの特別な駆動圧力及び脱出速度によって作ることができ、かつ他の場合に特別な気流送達流体力学は、特別な患者インタフェース構成により作ることができる。本発明の実施態様は、開放システムの増強した換気の有効性を最適化する特別な患者インタフェース構成及び形状を含むことができる。
【００２２】
図１は、ベンチレータ１が、二脚ガス送達回路２により患者Ｐｔに接続され、吸気脚部３を介して患者Ｐｔにガスを送達し、かつガスが、呼気脚部４を通して肺Ｌからベンチレータ１に吐き戻される調節機械換気（ＣＭＶ）として知られる従来の換気システムを記載する。典型的な患者換気インタフェースは、患者の肺Ｌが、周囲空気から閉鎖され、かつベンチレータガス送達回路２を通して空気源にのみ接続するように、気管Ｔ内にカフ７を有する気管内チューブ６である。空気は、肺Ｌに押し込まれ，かつベンチレータ１は、周囲に開放されていない閉鎖システムであるので、肺容量を増加できる。
【００２３】
図２は、概して持続的気道陽圧（ＣＰＡＰ）システムと呼ばれる従来の換気システムを記載する。この場合において、患者が吸入及び吐き出す単一脚ガス送達回路８がある。患者換気インタフェースは概して、呼吸システムが周囲空気に閉鎖されるように、患者の顔に対して密閉される（非侵襲的換気（ＮＩＶ）マスクとして知られる）非侵襲的換気マスク９であることにおいて、このシステムも閉鎖換気システムである。非侵襲的換気マスクは、１つ以上のマスク排気ポート１０を含むことができる。このシステムにおいて、患者は、自発的に呼吸しているが、ベンチレータ１によって供給されるガス供給源から自発的に呼吸している。容量は、肺に押し込まれ、かつシステムが閉鎖システムであり、周囲に接続されないので、ベンチレータ１は、肺容量を増加できる。気流は、上気道ＵＡ及び／又は中咽頭気道ＰＡを通過できる。
【００２４】
図３は、患者が、その上気道を通して自然に息を吸い込みかつ吐き出す本発明の代表的な開放換気システムの概観を記載する。患者換気インタフェースは、単一脚ガス送達回路２１によってベンチレータ２０に概して接続される気管切開チューブ又は経気管カテーテルであっても良い。単一脚ガス送達回路２１は、気道管６０に連結できる。気道管６０は、気管切開チューブ、マスク、カニューレ等を含むが、それらに限定されない種々のタイプの構造であっても良い。この場合のベンチレータ２０は、換気補助、又は増強換気を患者に提供できる。呼吸回路が十分に大きいならば、患者は、呼吸回路を通して部分的に吐き出すことができ、又は大きくないならば、患者は、完全に上気道を通して吐き出すことができる。
【００２５】
開放換気システムは、米国特許出願第２００５／０００３４７２号においてＦｒｅｉｔａｇにより、かつ特許文献２においてＷｏｎｄｋａにより記載されている。これらの参考文献において、呼吸回路は、煩わしくないこと、及びユーザへの便宜のために、又はガス送達力学のような他の性能要因のために、かつそれ故に患者が、完全にその自然の呼吸経路（上気道）を通して吐き出し、かつ呼吸回路を通して増強換気を受けるのみであるので、小さい。特別なベンチレータ駆動圧力及びカテーテルからのガス流出流体力学のために、ベンチレータは、開放上気道システムであるにもかかわらず、肺容量又は圧力を増加する可能性を有する。酸素療法によるような標準的ガス送達技術、肺容量及び圧力は、影響を受けない。
【００２６】
図４は、換気カテーテル４０及び気管切開チューブ２３の間の接続部が、気管切開チューブの近位端で開放され、かつカテーテルの遠位先端部４５が、気管切開チューブ２３の長さの半ば近くの位置に置かれる、気管切開チューブ２３及び換気カテーテル４０の組み合わせの側面図を記載する。この構成は、周囲空気から気管切開チューブ開口部を通る取り込み気流の増加を提供することがある。この構成は、ジェットポンプの特徴に類似することによって取り込みを向上できる。カテーテル先端部に遠位の気管切開チューブの断面は、ジェットポンプのノズルとして知られることがあり、（気管切開チューブの近位コネクタ内部の容量、及び気管切開チューブコネクタの直接的に外側の周囲空気容量を含む）カテーテル先端部に近接した断面は、カテーテル流出ガスが容量を取り込むジェットポンプの真空チャンバと考えられることがある。換気カテーテル４０は、気管切開チューブ２３の曲率と一致するように予備成形できるか、又は気管切開チューブ内側の上面と接触するように形成できるか、又は気管切開チューブ内側の下面と接触するように形成できる。換気カテーテル４０の遠位先端部は、ノズルから流出するジェットを、気管切開チューブ気流チャネル２４を通して、かつ気管切開チューブ２３の遠位先端部２７開口部に向けるように角度を付けることができ、このことはシステムのジェット性能を最適化することにおいて必須である。換気カテーテル４０は、気管切開チューブ２３の側壁の１つと接触するようにも形成できる。単一脚ガス送達チャネル２１は、気管切開チューブフランジ４３に連通する、コネクタ４４、好ましくは１５ｍｍコネクタに連通する気道管コネクタ４２を使用して気管切開チューブ２３に連結できる。
【００２７】
図５は、換気カテーテル４０が、気管切開チューブ２３の先端部を越えて伸長する、気管切開チューブ構成の側面図を記載する。換気カテーテル４０から流出するガスは、気管Ｔから上気道流、並びに気管切開チューブ気流チャネル２４内部及び気管切開チューブ２３の近接した外側からの幾らかのガスを取り込むことができる。気管切開チューブ２３の近位端での換気カテーテル４０及び気管切開チューブ２３の間の接続部が、閉鎖されるならば、気管切開チューブ気流チャネル２４を通した周囲からの空気の追加の取り込みはなく、かつ患者は、その経路を通して呼吸できない。しかしながら、気管切開チューブ２３／換気カテーテル４０接続部が開放されるならば、カテーテル先端部の正確な位置に応じて周囲からの空気の追加の取り込みがあり得、かつ患者は、上気道経路と同じようにその経路を通して呼吸できる。
【００２８】
図６は、気管切開チューブ２３が、その長さに沿って１つ以上の開窓２５を含む側面図を記載する。換気カテーテルの遠位先端部４５ノズルは、開窓２５を通して空気を取り込むために開窓２５の近くに位置することがある。この場合に、システムの真空又は取り込みチャンバは、両方とも（ａ）開窓２５の上の気管気道区画、及び（ｂ）気管切開チューブ２３及びスイベルエルボーコネクタ４７及び気管切開チューブ２３外側の周囲空気であり得る。気管切開チューブカフ２６は、上気道から気管切開換気カテーテル４０を過ぎる空気の通過を妨げることがある。開窓の寸法及び位置、カテーテル先端部の寸法及び位置、気管切開チューブノズル断面の寸法等のような、構成の正確で詳細な寸法を調整することによって、取り込み空気の量は、気管取り込み空気及び周囲取り込み空気の両方に関して増加又は減少できる。気管からの取り込みは、取り込み空気が自然に加湿された空気を含むことにおいて好ましいことがある。時に、例えば上気道閉塞の場合、又は患者の上気道が乾燥してきて追加の取り込みが望ましくないことがある場合に、周囲から気管切開チューブを通る取り込み空気が好ましいことがある。換気ガス送達回路２１及び換気カテーテル４０は、雌型の１５ｍｍの遠位コネクタ４８と、雄型の１５ｍｍの近位コネクタ４９とを有することができる、スイベルエルボーコネクタ４７により気管切開チューブコネクタ４４に取り付けられる。任意に、気管切開チューブの近位コネクタ又はスイベルエルボーコネクタは、後記のような他の特徴の接続機構を含むことができる。コネクタキャップ２９は、スイベルエルボーコネクタ４７を密閉できる。示した場合において、コネクタ４７の遠位端は、キャップ４９がかぶせられ、その場合に気管切開チューブ開窓２５を通してジェット取り込みが起き、かつカフ２６が膨張した時、患者の自発的な呼吸が、開窓２５を通し、上気道を通って起こり、かつカフ２６が収縮したならば、自発的呼吸が、開窓２５を通して、かつ気管切開チューブ２３の外側の周りの両方で起こる。
【００２９】
図７は、気管切開チューブ２３が有窓気管切開チューブである、患者インタフェース構成の側面図を記載する。示した場合において、コネクタ４７の遠位端は、キャップ４９がかぶせられる。この場合に患者は、開放コネクタ４７を通して自発的に呼吸できる。
【００３０】
図８は、開放インタフェースの側面図を記載する。ガス送達回路２１は、バッフル接続機構によって気道管６０に取り付けられる。気道管６０は、気管内チューブ、 気管切開チューブ、喉頭切除チューブ、又は他のいずれかの気道管であっても良い。気道管６０は、気道管フランジ６１を含むことがある。気道管６０は、カフを含むことがある気道管遠位端６３も含むことがある。ガス送達回路の先端部は、ガス送達ノズル６６として構成でき、かつガス送達ノズル６６の先端部は、気道管６０の入口に近接して又は外側に離れて位置決めできる。バッフルコネクタ６４は、ガス送達ノズル６６から流出するベンチレータガスによって周囲空気が取り込まれ得るように開放できる。図８において、バッフルコネクタ６４は、気道管の近位コネクタ６２の外側に取り付けて示されるが; バッフルコネクタ６４は、気道管６０の内面に取り付けられるか、又は気道管６０の近位縁部に接続できる。ガス送達ノズル６６及び気道管入口の間の理想的な距離は、気道管６０のタイプ及びサイズ、所望の治療効果、及びベンチレータ駆動圧力のような条件、並びにカテーテル及びノズル寸法に応じて変化するが、代表的な間隔は、２インチから−２インチに及び、理想的には埋め込まれた０．５インチに近接した１．５インチである。ガス送達ノズル６６は、バッフルスイベルコネクタ６５によりバッフルコネクタ６４に取り付けられ、従ってガス送達回路２１は、旋回して管類の経路を便利な場所に決めることができる。ガス送達回路２１により送達されるガスは、酸素、空気、空気−酸素混合物、治療ガス、又は薬物であっても良い。任意に治療ガスを、システムに引き入れることができる。ガス送達システムに関する追加の詳細は、図２８及び図３８〜図４０に記載される。
【００３１】
本発明の実施態様は、有効性に影響を与え得る。気管切開チューブ、又は更に一般的には気道管に対する換気カテーテルの先端部の位置は、取り込まれる空気量、及びそれ故にシステムの物理的効率、及び換気システムが患者の肺内に作ることができる容量及び圧力の量の重要な第一の寄与因子である。患者の肺内の圧力又は容量を増加することは、システムが臨床上有効であるために必要である。例えば、−５ｃｍＨ2Ｏの補助を受けない値から−１ｃｍＨ2Ｏの補助を受ける値への吸気肺圧力の増加は、吸息筋の作業を減少でき、かつ患者に寛解及び支援を提供できる。あるいは、−５ｃｍＨ2Ｏの補助を受けない値から＋５ｃｍＨ2Ｏの補助を受ける値への肺圧力の増加は、患者に寛解及び更に大きな支援を提供できる。自発的に呼吸する患者において、換気支援の感覚に基づき、より大きな又は小さい呼吸努力を費やすことによって患者の努力が補償できるので、これらの圧力増加は、潜在的増加とみなすことができる。ベンチレータ依存患者又は制御呼吸において、圧力増加が適用できる。ベンチレータシステムによって引き起こされる肺圧力の増加が高いほど、肺容量内の潜在的増加が高くなり、このことは、ガス交換の改善にも有効である。閉塞性肺疾患患者に関しても、換気システムからの追加の支援は、吸気時間を短縮でき、そのことは、長い吐き出し時間を提供でき、かつ動的過膨張を減少できる。肺圧力増加の可能性によって提供される呼吸補助作業は、呼吸筋の負担を減らし、かつ休息させることができ、その結果、呼吸筋が更に高い強度及び蓄積を有し、そのことは肺機能の再形成に役立つことができ、かつ静的過膨張を減少させる可能性がある。拘束性肺疾患患者において、肺圧力及び肺容量増加の可能性は、拘束性気道及び硬い肺の補償に役立つことがあり、呼吸が容易であるという感覚を与える。神経筋患者に関して、肺圧力及び容量増加は、身体が神経学的又は機械的に適切に呼吸できないことの補償に役立つ。換気システムの物理的効率及び臨床的有効性の他の寄与因子は、換気カテーテルから流出するガスの流出速度、気道内腔又は気道管の先端に対するガス速度の整合、換気カテーテルノズルの周囲又はごく近くのガス容量を含む。
【００３２】
気道管に対する換気カテーテルの先端部の位置に関して３つのケースを検討できる。ケースＡ（図５）において、カテーテル先端部は、気道管の遠位先端部へ、又はそれを越えて伸長する。ケースＢ（図４、図６及び図７）において、カテーテル先端部は、気道管の近位端及び遠位端の間のほぼ半分に位置決めできる。ケースＣ（図８）において、カテーテル先端部は、気道管の近位端の外側に位置決めできる。
【００３３】
ケースＡにおいて、ジェットは、気道内にガスを取り込む機会を有する。気道が気管又は他の大きな気道である場合に、気道柱内のこのガス容量は、大量である。ジェットポンプ設計の技術分野において技能を有する者は、それ故にケースＡの先端部位置が、ケースＢ及びケースＣと比較して、取り込みを最適化させるための最適な構成であろうと予期するかもしれない。しかしながら、実験に基づく検討によれば、ケースＢ及びケースＣが、ケースＡを超える良好な取り込み効率をもたらすことが明らかにされる。ケースＢにおいて、ジェットは、気道管の近位端外側から幾らかの空気を取り込み、かつこの取り込みは、ケースＡの取り込みを超えることができる。ケースＣは、最良の取り込み効率を提供するが、このことは直観で理解できないことがある。当業者は、気道管外側のカテーテル先端部から流出するガスが、気道管への入口で乱流を作り、かつ性能を著しく劣化させると考え得る。しかしながら実験に基づく評価により、これが当てはまらないこと、かつむしろ速度流動プロフィールは、気道管への入口に入る時に取り込まれた周囲空気と共に良く整っていることが明らかにされる。ケースＢを振り返ると、気道管がカテーテル先端部の位置付近にアパーチャ、例えば気管切開チューブ内の開窓を有する場合、システムは、２つの潜在的取り込み源：（１）気道外側からの周囲空気、及び（２）開窓を通した気道空気を有する。このケースは、ケースＢの効率を改善できるが、なおもケースＣほど効率的でない。ケースＣのもう一つの利点は、カテーテル先端部及び気道管先端部の間のずれに基づき性能劣化が起こりにくいということである。
【００３４】
しかしながら、ケースＡ及びケースＢは、肺に加湿ガスを送達する点においてケースＣよりも好都合であることに注意せよ。ケースＣは、ケースＡに対して取り込まれる大量の周囲空気のために、最も加湿されないガスを送達し、ケースＡは、取り込みガスが鼻道によって加湿される上気道に由来するので最も加湿されたガスを送達する。しかしながらケースＢ及びケースＣは、換気及び取り込みガスへの人工的な加湿を導入することにより、又は熱湿交換器を使用することによって修正できる。ケースＡ、Ｂ及びＣの幾つかの代表的な値を、以下で表１に載せる。
【００３５】
【表１】
0005715950.tif 000002
【００３６】
上記値は、本発明におけるベンチレータ流量範囲の下端に近い毎分１５Ｌのベンチレータガス送達に基づく。概して本発明におけるベンチレータ流量は、毎分１５〜４０Ｌの平均流量、及び毎分２０〜６０Ｌのピーク流量であっても良い。流量が増加すると、取り込み割合が直線関係で増加し、かつ圧ポテンシャル増加は、二乗関係で増加する。非直観的に、ケースＡにおいて上気道から取り込まれる空気量は、気道管の近位端を通して取り込まれる周囲空気よりも少ない。ケースＢを振り返ると、カテーテル先端部から流出するジェットが気道管の内壁と衝突しないように、カテーテルの遠位先端部の軸方向中心線が、気道管の遠位先端部の軸方向中心線と整列されるならば有益であり得る。この整列は、好ましくは完全な整列から約１０度以内であり得る。取り込み性能は、カテーテル先端部及び気道管先端部の間に起こる乱れた気流速度プロフィール及び乱流により劣化し得る。
【００３７】
図９は、気道Ａに流れ込むガス源を描く開放インタフェースの側面図を記載する。ノズルから流出するベンチレータガスＧVは、気道管６０の外側からの空気Ｇeを取り込むことができる。患者は、気道管Ｇsiの外側及び上気道Ｇsaから周囲空気を自発的に引き込める。肺Ｇtに送達されるガス総量は、これら４つの源の組み合わせである。図９のガス送達回路２１は、呼吸感知線８０によっても示される。呼吸感知線８０の目的は、患者の呼吸圧力を測定し、患者の呼吸にベンチレータ機能を同期化し、かつ患者の呼吸パラメータを追跡することである。ガス送達回路２１の遠位端で、又はその近くで、呼吸感知線は、カテーテルから分岐し、かつガス送達ノズル６６よりも気道管６０に深く伸長することができる。深い伸長は、気道呼吸圧力の高感度な検出を可能にできる。伸長は、気道管遠位端６３に、又は気道管遠位端６３を越えて伸長できる。さらに呼吸感知線８０は、気道圧力を感知するために気道管６０の壁内の内腔に結合できるか、又は気道管６０の構造に一体であっても良い。気道管アダプタ８１は、ガス送達回路２１及び／又は呼吸感知線８０を気道管６０に連結できる。
【００３８】
図１０は、気道管側方コネクタ８２を有する開放インタフェースの部分断面平面図を記載する。気道管側方コネクタ８２は、気道管６０の近位端に取り付けることができる。気道管６０と対向する気道管側方コネクタ８２の近位端は、ガス送達ノズル６６から流出するガスが気道管側方コネクタ８２を通して周囲空気を取り込むように、周囲空気に開放できる。図１０において、周囲空気から気道管側方コネクタ８２及び気道管６０への経路は、必要な空気の急激な方向変化が無いか、最小限である比較的直線の経路である。気道管側方コネクタ８２の側方接続部８５は、酸素接続機構等のような、呼吸器付属品の取り付けに利用できる。示した設計に代わり、近位側は、示すように開放されるか、又は閉鎖され得る。Ｙ字型、Ｔ字型、又はＬ字型コネクタが使用できるように、コネクタのいかなる合理的な構成も使用できる。例えば、図１１は、気道管Ｔ字型アダプタ８４を有する開放インタフェースを記載しており、空気の通過を可能にするために、かついずれかの必要な付属品の接続のために、２つの開放側方接続部８５を有する。気道管６０と対向する気道管Ｔ字型アダプタ８４の近位端は、開放又は閉鎖されても良いが、本実施例では閉鎖した状態で示される。同様に例えば図１２は、好ましくはスイベルである、気道管エルボーコネクタ８３を有する開放インタフェースを記載する。付属品が気道管エルボーコネクタ８３に取り付けられるならば、スイベルはそれを所望通りに位置決めすることに役立ち得る。
【００３９】
図１３は、調整可能なガス送達ノズル６６を有する開放インタフェースを記載する。ガス送達ノズル６６は、気道管アダプタ８１内のガイド又はノズル調整スロット８６内で気道管６０に対して近位又は遠位に動くことができる。位置を調整可能であることの目的は、患者の必要に基づき取り込み量、及び作られた合成気道圧力を増加又は減少することである。感圧ポート８７からの信号は、ガス送達ノズル６６の適切な位置を決定するために使用できる。例えば、取り込みを最大限にすることが望ましいならば、ガス送達回路２１は、感圧ポート８７からの信号がピーク振幅を記録するまで動くことができる。ベンチレータユーザインタフェースは、この位置状態をユーザに示すことができる。あるいは例えば、ある量の取り込みを達成することが望ましいならば、ガス送達回路２１の位置は、近位感圧ポート８７が、取り込み量に対して予期される所望の特性信号を記録するまで動くことができる。
【００４０】
図１４は、気道管６０の外側に離れて位置決めされるよりもむしろ、気道管６０の近位端の僅かに内側に位置決めされたガス送達回路のノズルを有する開放インタフェースを記載する。ガス送達回路２１及び気道管６０の間の接続部の回転が、気道管軸方向中心線に対するガス送達ノズル６６の整列を変更しないように、ガス送達ノズル６６は、直線の軸方向断面を持つ気道管の部分に位置し得る。それに反して、気道管軸方向中心線が弓形であるか又は曲げられる気道管内の深部に、ノズル先端部が位置決めされたならば、ガス送達回路２１及び気道管６０の間の接続部の回転は、気道管６０とのジェットのずれ、及び空気力学不良を引き起こし、そのことは治療結果にとって好ましくない。従ってこの配置は、ユーザが回転配列を気にせずに２つの部品を取り付けることを可能にし、かつ／又は接続機構は、ガス送達回路管類の経路を所望に応じて患者から離れて決定できるようにするために回転スイベルを含むことができる。
【００４１】
図１５は、近位端での気道管６０の直線部分の、気道管６０の曲線部分への移行部近くに位置決めされたガス送達ノズル６６の遠位先端部を有する開放インタフェースを記載する。
【００４２】
開放気道インタフェースの前出の例は、患者から離れて突き出る患者インタフェースへの接続部を記載している。図１６及び図１７は、薄型である代替的接続部を記載する。
【００４３】
図１６は、カテーテルが気道管６０の近位端内でノズル接続スロット８９に取り付けられた開放インタフェースを記載する。ノズル接続スロット８９は、大きな接続部の必要性を回避できる。ガス送達回路２１は、取り外し自在に取り付けられ、かつ安全な接続部によって、ノズル接続スロット８９に直接結合できる。気道管６０のスロット付き近位端は、気道管の管自体、１５ｍｍのコネクタ又は外部カニューレ若しくは内部カニューレであっても良い。
【００４４】
図１７は、気道管６０の近位端の外側及び／又は内側を係合させるクリップ９９を有する、気道管６０に連結された薄型コネクタ１００及び薄型ガス送達ノズル１０１を有する開放インタフェースを記載する。これらの薄型接続部は、患者が自発的に呼吸し、かつ公の場にいる時に、ガス送達回路２１及びインタフェースが更に隠され得るように治療を使用する時に好都合であり得る。薄型接続部のクリップ９９は、気道管６０を通る流れを制限しないように気道管６０の内径のできるだけ小部分を占め得ることができる。クリップ９９は、クリップ９９が、近位端の近くの気道管６０の内壁に対して適切な力、例えば２〜１０ポンドの半径方向の力、好ましくは４〜６ポンドと係合できるように半径方向に拡張できる。クリップ９９は、摩擦嵌めによって保持できる。クリップ９９は、プラスチック又は金属であっても良く、例えばそれぞれウルテム（ＵＬＴＥＭ）若しくはナイロン、又はステンレス鋼若しくはニタノール（ＮＩＴＡＮＯＬ）であっても良い。薄型接続部は、適切な力により気道管６０に結合するために気道管の壁をつまむための、気道管の近位端の外側に結合する１つ以上の外部クリップを含むこともできる。薄型設計を容易にするために、ガス送達回路２１は、ガス送達回路２１の先端部でガス送達ノズル１０１の側壁に形成される換気ガス送達ポート４６を含むことができる、薄型ガス送達ノズル１０１を含むことができる。ガス流路は、ガスの流動プロフィールがガス送達ノズル１０１から流出する前に適切に発達できるように、先端部近くの直角流路にあるよりもむしろ湾曲され得る。
【００４５】
図１８及び図１９は、ガス送達回路２１が開放気道管アダプタ８１又は側方接続機構８２を有する気道管コネクタにより気道管６０に取り付けられる開放インタフェースを示す。気道管アダプタ８１又は気道管側方接続機構は、吸気弁１０３を含むことができる。図１８は、直線的気道管アダプタ８１の一部として吸気弁１０３を示し、かつ図１９は、気道管６０に連結された側方接続機構８２を有する気道管コネクタを記載する。側方接続機構８２を有する気道管コネクタは、気道管６０に対向する側方接続機構８２を有する気道管コネクタの一端に吸気弁１０３と、側方接続機構８２を有する気道管コネクタの側方コネクタに取り付けられた呼吸器付属品とを含み得る。示した例において、付属品は、吸気中に患者に戻せる、吐き出された水分を捕捉する熱湿交換器（ＨＭＥ）１０２である。吸気弁１０３は概して、ノズルから流出するジェットによる周囲空気の取り込みを可能にするために容易に開放する、低抵抗の低クラッキング圧吸気弁である。参考までに吸気弁１０３は、閉鎖状態１０８及び開放状態１０７の両方で示される。吸気弁１０３は、弁座１０４、弁口１０５、及び／又は弁ダイヤフラム１０６を含むことができる。吸気は、吸気弁１０３を通り、かつ任意にＨＭＥ１０２も通って引き込まれ得る。ガス送達ノズル６６から流出するジェットによって取り込まれる空気は、ＨＭＥ１０２によって捕捉された加湿空気を、吸気中に患者の気道に引き戻すことに役立ち得る。吸気弁１０３の目的は、吐出中に幾らかの吐出空気が、喉頭を越えて上気道を通して通気孔に押し込まれ、従って発声を可能にすることであり得る。ＨＭＥ１０２以外の構成要素が、後記のように使用できる。吸気弁１０３に対して記載される種々の実施態様において、吸気弁１０３は、口すぼめ呼吸を模倣するために背圧を保持しながら十分なガスが吐き出され得るように、吐出ガスの通気を可能にする流動ポートを含むことができる。吸気弁１０３のクラッキング圧は、概して２ｃｗｐ未満であっても良く、好ましくは０．３〜０．８ｃｗｐである。吸気弁１０３の通気抵抗は、概して１０ｃｗｐ／Ｌ／秒未満であっても良く、好ましくは５ｃｗｐ／Ｌ／秒未満である。
【００４６】
図２０は、ガス送達回路２１を有する開放インタフェースと、気道管６０に連結された側方接続部８２を有する気道管コネクタとを記載する。図２０において、吐出ＰＥＥＰ１０９弁は、側方接続部８２により気道管コネクタの側方接続部に取り付けられ、かつ気道管６０に対向する側面は、吸気弁１０３を含む。それ故に構成は、吸気中、周囲空気に対して開放され、かつ吐出中、周囲空気に対して部分的に閉鎖される。吐出中、吐出ＰＥＥＰ弁１０９は、幾らかの吐き出された気流を可能にするが、但し所望のＰＥＥＰレベルを作る背圧、例えば５ｃｗｐを有する。吐出ＰＥＥＰ弁１０９の抵抗は、所望のＰＥＥＰレベルを作るために例えば５〜２０ｃｗｐ／Ｌ／秒であっても良い。ＰＥＥＰレベルは、所望のＰＥＥＰレベルを作るために調整できる。図２０において、吐出ＰＥＥＰ弁１０９は、ばねを有するケージ付きボール弁（ｂａｌｌ  ａｎｄ  ｃａｇｅ  ｖａｌｖｅ）である。ばねの張力は、吐出ＰＥＥＰ弁１０９の気流抵抗を決定する。吐出ＰＥＥＰ弁１０９に加えて、弁は、呼気弁若しくは圧力逃がし弁、又は上記のいずれかの組み合わせであっても良い。
【００４７】
図２１及び図２２は、気道管アダプタ８１により気道管６０に取り付けられたガス送達回路２１、及び気道管６０及び／又は患者の気道に伸長する気道感知伸長線１２０を有する開放気道システムを示す。図２１において、気道感知伸長線１２０は、気道管アダプタ８１から気道管６０のチャネルに伸長する。気道感知伸長線１２０は、示すように気道管の長さの途中まで伸長できるか、気道管６０の遠位先端部に、又は気道管６０の遠位先端部を越えて伸長できる。気道感知伸長線１２０は、気道感知伸長線１２０の遠位先端部に、又はその近くで遠位感知ポート１２１を含むことができ、かつ気道感知伸長線１２０の近位端の近くに近位感知ポート１２２を含むことができる。近位感知ポート１２２及び遠位感知ポート１２１は、一緒に使用される時、ハーゲン・ポアズイユの式を適用することにより気道管６０のチャネルを通る気流を決定できる。ジェットは、ガス送達ノズル６６の周りの区域で概して陰圧を作るので、真の圧力測定は、可能でないことがあるが; しかしながら導き出される圧力測定を得るために、ベンチレータ内のマイクロプロセッサは、測定値に補正因子を適用できる。気道管６０を通る気流を決定するための２つの感圧ポートを使用することにより、システムが、取り込み量及び気道管を通して自発的に吸入される気流の量を決定できるようになる。この情報は、送達される総容量を決定するために使用でき、かつ所望の治療レベルを作るためのベンチレータ設定を調整するために使用できる。
【００４８】
図２２は、気道管感知線１２３が気道管６０に統合される、図２１の代替的構成を記載する。ガス送達回路２１は、気道管６０内で気道管感知線１２３に接続する感知線コネクタ１２６を含むことができる。気道管感知線１２３は、気道管６０の先端部に伸長できるか、あるいは気道管６０の長さのいずれかの箇所に位置決めされた気道管の遠位感知ポート１２４で終わることができるか、あるいは気道管感知線１２３は、気道管の近位感知ポート１２５及び／又は気道管の遠位感知ポート１２４を含む複数の感知ポートを含むことができる。あるいは、気道管６０又はガス送達回路２１は、複数の感知線伸長を含むことができる。
【００４９】
図２３は、加湿送達ホース１２９用の加湿コネクタ１２８を有する開放インタフェースを記載する。この実施態様において、加熱された加湿空気は、患者が吸入する時、又はノズルから流出するジェットが周囲空気を取り込む時、空気がインタフェース及び患者の気道に引き込まれ、かつ肺が加湿されるように、加湿送達ポート１２７を介して気道管アダプタ８１に送達できる。人工的に加湿された空気は、ガス送達カテーテル２１によって投与された酸素又は乾燥空気を補償でき、かつ気道粘膜に沿った換気ガスの対流気流によって起こり得る気道の乾燥も補償できる。湿気は、従来の加熱加湿器によってベンチレータで発生し得るか、又は気化器、又はエアロゾルライザ（ａｅｒｏｓｏｌｉｚｅｒ）、又は噴霧システムによって発生し得る。開放インタフェースの近くの温度センサ（図示せず）は、蒸気出力を調整又は限定するために、温度信号を加湿器に戻すために提供でき、かつ送達された蒸気を安全な温度に維持できる。加湿ガスは、空気、酸素又はブレンドされた混合物であっても良い。
【００５０】
図２４は、蒸気又は噴霧加湿カテーテル１４０を有する開放インタフェースを記載する。この実施態様において、加湿カテーテル１４０は、ガス送達回路２１に加えて気道管アダプタ８１に取り付けられる。加湿カテーテル１４０は、蒸気、噴霧又は水滴の形状で気道に水分を送達できる。水分は、カテーテルの遠位端から流出する加圧下で供給できるか、換気カテーテルジェットによりカテーテルの遠位端から取り込めるか、又はその両方である。噴霧カテーテルは、換気カテーテル管類の一部であっても良いか、又は別個であっても良い。
【００５１】
図２５は、図２４に示すような噴霧カテーテル用の別個の接続機構よりもむしろ、ガス送達回路及びガス送達ノズル６６に一体の加湿送達ポート１２７及び加湿チャネル１４１を有する開放インタフェースを記載する。図２６は、図２５におけるシステムの断面Ｂでのカテーテル先端部の拡大図を記載する。図２７は、図２６の線Ａ−Ａでの換気カテーテルの断面図を記載する。水分は、加湿チャネル１４１内のガス送達回路２１の遠位端に導かれる。水分の源又は発生は、加熱加湿又はエアロゾル化によることができ、かつ水分は、加圧下でカテーテルの遠位端に供給できるか、換気カテーテルジェットにより遠位端から取り込めるか、又はその両方である。あるいは、水分は、ベンチレータ及び患者の間のいずれかの位置で換気ガス送達チャネル１４４に湿ったガスを取り込む又は混合することによって、換気ガス送達チャネル１４４内でカテーテルの遠位端に運ぶことができる。呼吸感知内腔１４３は、換気ガス送達回路２１にも含まれ得る。
【００５２】
図２８は、治療により送達された酸素量が、調整可能であり、かつ／又はモニタされ、かつ／又は制御される本発明の実施態様を記載する。ガス送達回路２１は、酸素送達ポート１６２又は引出ポート、酸素及び／又は二酸化炭素感知ポート１６３、並びに感圧ポート８７を含むことができる。この実施態様において、酸素よりもむしろ空気が、ガス送達ノズル６６によって送達され，かつ酸素は、酸素送達内腔１６４及び酸素引出ポートを介して供給される。酸素は、ガス送達ノズル６６から流出するジェットによって取り込まれる気道管アダプタ８１に送達できる。任意に酸素は、換気ガスジェットによって取り込まれることにより酸素送達ポート１６２及び酸素送達内腔１６４から引き込まれる。酸素及び／又は二酸化炭素感知ポート１６３並びに酸素及び／又は二酸化炭素感知内腔１６５は、患者の気道及び肺内の酸素量を決定するために、吐き出し中及び呼吸サイクルの他の時間の両方で、その領域内でのガス中の酸素濃度を決定するために概してベンチレータで、気道管アダプタ８１からセンサにガスを引き戻すために使用できる。検出された濃度は、所望の吸入酸素濃度（ＦＩＯ２）を達成するために、システムに引き入れられる酸素量を増強又は低下するために使用できる。その上、ジェット振幅及び期間は、所望のＦＩＯ２を達成するために、変化され得る。あるいは、ジェットパラメータ及びパラメータ内の酸素引出は、所望のＦＩＯ２レベルを達成するために、所定の一組の値から選択できる。示した例において、酸素は、ガス送達回路内の内腔を使用して引き入れられるが、しかしながらコネクタに取り付けられた別個のカテーテル又は管類からも引き入れられる。図２８は、温度変化によって呼吸を測定するために使用できる基準熱センサ１６１と、任意のインライン熱センサ１４９とを同様に記載する。アダプタスイベル１４７接続部も、気道管アダプタ８１を気道管６０に所望通りに配向させることに役立つことが示される。
【００５３】
図２９は、換気ガス送達チャネル１４４と，酸素送達内腔１６４と、酸素及び／又は二酸化炭素感知内腔１６５と、加湿チャネル１４１と、呼吸感知内腔１４３と、熱センサワイヤ１６０と、関連した内腔とを示す、線Ａ−Ａでの図２８におけるシステムの断面図を記載する。
【００５４】
図３０〜図３２は、ガス送達回路２１の遠位先端部での気道感圧ポート８７の様々な位置及び構成を記載する。図３０は、ガス送達回路２１の遠位先端部の前側に位置決めされ、かつ吐出気流の方向に直角に配向された感知ポート１４５を示す。この位置は、吐出ガスが、いかなる信号損失又はアーチファクトもなしにポートに影響を与え得るので、吐出中に超高感度であり得る。図３１は、吸入された気流の方向に面した感圧ポート１４６を有するガス送達回路２１を記載する。この位置は、吸入されたガスが、いかなる信号損失又はアーチファクトもなしにポートに影響を与え得るので、吸気中に超高感度であり得る。図３２は、１つが吸気流１４６の方向に面し、かつ１つが吐出流１４５の方向に面する２つの感圧ポートを有するガス送達回路２１を記載する。この構成は、吸気及び呼気段階の両方に関して改善された感度を提供し得る。感知ポートは、呼吸気流と平行にも配向でき、かつノズルの側面、上面、又は下面に位置決めできる。
【００５５】
図３３〜図３５は、開放インタフェースが、閉鎖された、又は一部閉鎖されたインタフェースに変換できる本発明の実施態様を記載する。図３３は、弁アセンブリを開放インタフェースの気道管アダプタ８１に取り付けることによって一部閉鎖されたインタフェースに変換される開放インタフェースを記載する。弁アセンブリは、吸気弁１０３と、吐出ＰＥＥＰ弁１０９とを含むことができる。吐出ＰＥＥＰ弁１０９は、ＰＥＥＰ弁と、ＰＥＥＰ／ＰＩＰ逃がし弁１８０とを含むことができる。吸気弁１０３は、吸気弁１０３の周囲側から、気道管６０及び患者への周囲ガスの取り込みを可能にする低クラッキング圧の低抵抗弁であっても良い。図３４は、図３３に記載されたシステムの弁アセンブリの詳細図を記載する。示した例において、吐出弁１０９は、それを通常閉鎖された弁にするための吐出弁ばね１６９、吐出弁座１６７、吐出弁ボール１６８を有するボール逆止め弁であるが、ダックビル弁、ダイヤフラム弁、又はリーフレット弁のようないかなるタイプの逆止め弁又は一方向弁も使用できる。吐出弁１０９は、弁調整装置１８１及び／又は弁パイロット圧信号線１８２を含むことができる。自発呼吸中、弁は概して受動的弁であり、かつ１〜１０ｃｍＨ2Ｏ、好ましくは１〜３ｃｍＨ2Ｏのような軽い圧力によって開放され、そのことは、患者の肺及び気道内のガス容量が発散することを可能にする。調節機械換気中、患者が自力で呼吸していない時、弁は、吸気段階が完了した時、ベンチレータ制御によって開放して循環される能動的弁に切り替えることができる。この場合に吐出弁は、弁への開閉制御を提供するために、ベンチレータから圧力信号を伝送するパイロット信号線を含む。図３５は、ベンチレータからのパイロット信号が、吐出弁１０９の開閉、及び／又は吐出弁１０９が作るＰＥＥＰレベルを調節し、かつＰＥＥＰ設定及び圧力逃がし設定を決めるためのＰＥＥＰ調整がある、図３４に記載されたシステムの代替的吸気／呼気弁１６６の詳細図である。吐出空気は、遠位端Ｄから近位端Ｐに動くことができる。
【００５６】
図３６は、ガス送達回路２１が、換気マスク１８３のようなマスクタイプ患者インタフェースに接続された開放気道換気システムを記載する。マスク近位コネクタ１８４は、周囲空気が換気マスク１８３内外を流れることを可能にするために開放できる。ガス送達回路２１の遠位先端部及びガス送達ノズル６６は、換気マスク１８３内部及び／又はマスク近位コネクタ１８４内部に挿入できる。システムは、その場合ジェット及び取り込まれた周囲空気により換気マスク１８３内に陽圧を提供できる。患者は、換気マスク１８３内の陽圧源、並びに換気マスク１８３を通る周囲空気から自発的に呼吸できる。換気マスク１８３は、換気マスクシール１８５及び／又は１つ以上のマスクストラップ接続部１８６を含むことができる。
【００５７】
図３７は、ガス送達回路２１が、換気マスク１８３のようなマスクタイプ患者インタフェースに接続される開放気道換気システムを記載する。マスク近位コネクタ１８４は、周囲空気が換気マスク１８３内外を流れることを可能にするために開放できる。ガス送達回路２１の遠位先端部及びガス送達ノズル６６は、換気マスク１８３外部及びマスク近位コネクタ１８４外部に置かれ得る。ガス送達回路２１は、バッフルコネクタ６４及び／又はバッフルスイベルコネクタ６５を介して換気マスク１８３及び／又はマスク近位コネクタ１８４に結合できる。システムは、その場合ジェット及び取り込まれた周囲空気により換気マスク１８３内に陽圧を提供できる。患者は、換気マスク１８３内の陽圧源、並びに換気マスク１８３を通る周囲空気から自発的に呼吸できる。換気マスク１８３は、換気マスクシール１８５及び／又は１つ以上のマスクストラップ接続部１８６を含むことができる。
【００５８】
図３８は、発明全体の実施態様のシステム概略図を記載しており、ベンチレータ２０が圧縮酸素によって作動し、かつ患者に高酸素濃度を送達し、そのことは、多くの場合患者が送達される酸素の濃縮濃度を必要とするＣＯＰＤ又はＡＲＤＳ用途において有用である。ガス源は、種々の源であっても良く; ベンチレータ２０は、病院設定でのように、シリンダ又は圧縮酸素壁供給源のような、圧縮酸素供給源２００によって作動できる。この場合に１００％の酸素が、ベンチレータ２０から患者に送達され、かつ治療の結果のＦＩＯ２は、１００％酸素と、取り込まれた周囲空気との結果である。例えば、１２０ｍｌの１００％酸素が送達され、かつ周囲ガスの１００％の取り込みがあるならば、すなわち１２０ｍｌの空気が取り込まれ、その上患者によって自発的に吸入される追加の１２０ｍｌの周囲空気があるならば、その場合肺によって受け取られるガス総量は、４７．３３％のＦＩＯ２で３６０ｍｌである。任意に圧縮空気供給源１８９からの圧縮空気が、ベンチレータ２０に接続でき、かつ外部コンプレッサ１８８に連結されたブレンダ１８７によってブレンドできる。圧縮空気は、ベンチレータ２０に入る前に圧縮酸素とブレンドできるか、又は送達される換気ガスの酸素濃度を調整するためにベンチレータ２０の内側でブレンドできる。
【００５９】
図３９は、ベンチレータ２０が、ブレンドされた圧縮空気及び酸素によって作動し、かつ患者にブレンドされた濃度の空気／酸素を送達する発明全体の実施態様のシステム概略図を記載する。この実施態様において、ベンチレータ２０は、神経筋用途において有用であり、高酸素濃度が、多くの場合患者によって必要とされない、内部コンプレッサタービン２０２を含むことができる。任意にコンプレッサタービンは、外部にあってもよい。圧縮空気及び酸素は、状況に関して必要とされる酸素濃度を選択及び作るために、ベンチレータ２０の外部又は内部のブレンダ１８７を使用してブレンドできる。図４４は、前記のように、加湿ユニット２０１から加湿送達ホース１２９を介してシステムに引き入れられる湿気を同様に示す。
【００６０】
図４０は、発明全体の実施態様のシステム概略図を記載しており、ベンチレータ２０が、圧縮空気によって作動し、かつ患者に空気／酸素のブレンドされた供給を送達するために圧縮酸素供給源２００から酸素を引き入れる。圧縮空気は、内部コンプレッサ又は外部圧縮空気源、又はその両方によって発生する。好ましい実施態様において、酸素は、酸素濃縮器２０６又は液体酸素源２０７からベンチレータガス送達回路２１にブレンドされ、周辺の周囲空気から酸素を作ることができる。このことは、酸素送達へのアクセスが、高価であるか、運搬上複雑である状況で有用である。ブレンダ１８７は、ベンチレータ２０の内部又は外部であっても良い。ガス送達回路２１内で送達されるガスが、概して５０ｍ／秒を超える速度で送達されるので、適切な弁が使用されるならば、速度は、酸素をガス供給回路２１に吸い取ることがある。任意の実施態様において、システムは、気道ガス洗浄システムを含み、気道管からの幾らかのガスが気道管から、概してベンチレータ２０の内部にあり、かつ酸素濃度及び／又は二酸化炭素濃度を測定する酸素分析器２０３、二酸化炭素分析器２０４又は組み合わせ装置に導かれる。この読み込みにより、ベンチレータ２０又は介護人が、気道及び肺内の酸素濃度と相関性があり、かつそれ故にＦＩＯ２と関連性がある気道管内の酸素濃度を知ることが可能になる。適切な空気／酸素混合物が送達されているか、かつ何らかの調整を行う必要があるならば、どのようになるかを確証するために、パルス酸素濃度計が使用できる。図４０は、インピーダンス呼吸容量センサ２０９、例えば胸部インピーダンスセンサが、吸気中に肺に入る容量を決定するために使用される任意の実施態様を同様に示す。１つ以上のセンサは、マイクロプロセッサ制御システム２０９によって制御され得る。この実施態様において、肺容量情報は、開放システムにおける治療の効果、すなわち開放換気システムにおける１回換気量がどれほどであるかを決定するために使用される。情報は、滴定及びパラメータを調整するために使用でき、例えばジェットパラメータを調整することにより取り込み量を増加又は減少できる。１回換気量情報は、肺容量及びベンチレータ酸素容量出力が知られているならば、その場合１回換気量中の吸入酸素濃度が計算できることにおいて、酸素又は二酸化炭素センサの必要性を除去できる。
【００６１】
本発明の種々の実施態様において、治療は、２１〜１００％酸素のベンチレータガス出力を含むことができる。あるいは追加の酸素ガスが、種々の代替的位置、及び呼吸サイクル内の種々の点（吸気、呼気、周期的及び連続的に）で送達できる。換気出力は、早期に送達される、吸気の早期、遅延後に送達される、吸気の半ばで、吸気の終了時で、又は吸気／呼気段階の移行部と重複するような吸気サイクルの全ての可能な代替案と同期化できる。
【００６２】
本発明の実施態様は、気道からのガスが気道管にも取り込まれ、かつ肺に向かう気道管遠位端から出ることを可能にするために、気道管内の開窓の種々のパターン及び構成を含むことができる。開窓の形状は、円形、楕円形、又は他のいずれかの合理的な形状であっても良く、かつ開窓は、気道管のいかなる位置にも配置できる。
【００６３】
呼吸センサは、概して示されるように換気カテーテルの一部であっても良いか、又は気道管の一部であっても良いか、気道の内部若しくは外部であっても良いか、又はカテーテル若しくは気道管と結合しないセンサであっても良い。これらのセンサは、ベンチレータを所望の通りに同期化するために患者の呼吸パターンを測定でき、かつ取り込みも測定でき、従ってシステムは、知的にも取り込みレベルが何であるかを知っている。後者の情報は、構成を代えて取り込みの源及び振幅を調整するために使用できる。１つ以上の圧力タップが、気道管を通るガス流を測定するために使用できる。
【００６４】
前述の記載は、本発明の好ましい実施態様に向けられるが、他の応用例及び修正が当業者にとって明らかであり、かつ本発明の範囲又は精神から逸脱せずに行えることに注意すべきである。更に、本発明の一実施態様に関連して記載された特徴は、以上に明白に述べられなくても、他の実施態様と合わせて使用できる
【符号の説明】
【００６５】
Ｐｔ…患者、Ｔ…気管、Ａ…気道、ＵＡ…上気道、ＰＡ…中咽頭気道、Ｌ…肺、Ｄ…遠位、Ｐ…近位、Ｉ…吸気流、Ｅ…呼気流、Ｇｖ…ベンチレータガス、Ｇｓｉ…インタフェースを通る吸入空気、Ｇｓａ…気道を通る吸入空気、Ｇｅ…取り込まれた空気、Ｇｔ…吸気ガス総量、１…先行技術のベンチレータ、２…二脚ガス送達回路、３…吸気脚部、４…呼気脚部、６…気管内チューブ、７…気管内チューブカフ、８．先行技術の単一脚ガス送達回路、９…非侵襲的換気マスク、１０…ＮＩＶマスク排気ポート、２０…ベンチレータ、２１…単一脚ガス送達回路、２３…気管切開チューブ、２４…気管切開チューブ気流チャネル、２５…気管切開チューブ開窓、２６…気管切開チューブカフ、２７…気管切開チューブの遠位先端部、２９…コネクタキャップ、４０…換気カテーテル、４１…換気カテーテルノズル、４２…気道管コネクタ、４３…気管切開チューブフランジ、４４…１５ｍｍコネクタ、４５…換気カテーテルの遠位先端部、４６…換気ガス出口ポート、４７…スイベルエルボーコネクタ、４８…スイベルコネクタ１５ｍｍ雌型コネクタ、４９…スイベルコネクタ１５ｍｍ雄型コネクタ、６０…気道管、６１…気道管フランジ、６２…気道管近位コネクタ、６３…気道管遠位端、６４…バッフルコネクタ、６５…バッフルスイベルコネクタ、６６…ガス送達ノズル、８０…呼吸感知線、８１…気道管アダプタ、８２…側方接続部を有する気道管コネクタ、８３…気道管エルボーコネクタ、８４…気道管Ｔ字型アダプタ、８５…側方接続部、８６…ノズル調整スロット、８７…感圧ポート、８９…ノズル接続スロット、９９…クリップ、１００…薄型コネクタ、１０１…薄型ガス送達ノズル、１０２…熱湿交換器、１０３…吸気弁、１０４…弁座、１０５…弁口、１０６…弁ダイヤフラム、１０７…開放状態、１０８…閉鎖状態、１０９…吐出ＰＥＥＰ弁、１２０…気道感知伸長線、１２１…遠位感知ポート、１２２…近位感知ポート、１２３…気道管気道感知線、１２４…気道管遠位感知ポート、１２５…気道管近位感知ポート、１２６…感知線コネクタ、１２７…加湿送達ポート、１２８…加湿コネクタ、１２９…加湿送達ホース、１４０…加湿カテーテル、１４１…加湿チャネル、１４２加湿リザーバ、１４３…呼吸感知内腔、１４４…ベンチレータガス送達チャネル、１４５…遠位に面する感知ポート、１４６…近位に面する感知ポート、１４７…アダプタスイベル、１４９…インライン熱センサ、１６０…熱センサワイヤ、１６１…基準熱センサ、１６２…酸素送達ポート、１６３…酸素ＣＯ２感知ポート、１６４…酸素送達内腔、１６５…酸素ＣＯ２感知内腔、１６６…吸気−呼気弁、１６７…吐出弁座、１６８…吐出弁ボール、１６９…吐出弁ばね、１８０…ＰＥＥＰ  ＰＩＰ逃がし弁、１８１…弁調整、１８２…弁パイロット圧線、１８３…換気マスク、１８４…マスク近位コネクタ、１８５…マスクフェースシール、１８６…マスクストラップ接続部、１８７…ブレンダ、１８８…外部コンプレッサ、１８９…圧縮空気供給源、２００…圧縮酸素供給源、２０１…加湿ユニット、２０２…内部コンプレッサタービン、２０３酸素分析器、２０４…ＣＯ２分析器、２０６…酸素濃縮器、２０７…液体酸素、���０８…インピーダンス呼吸容量センサ、２０９…マイクロプロセッサ制御システム。
【図１】
0005715950.tif 000003
【図２】
0005715950.tif 000004
【図３】
0005715950.tif 000005
【図４】
0005715950.tif 000006
【図５】
0005715950.tif 000007
【図６】
0005715950.tif 000008
【図７】
0005715950.tif 000009
【図８】
0005715950.tif 000010
【図９】
0005715950.tif 000011
【図１０】
0005715950.tif 000012
【図１１】
0005715950.tif 000013
【図１２】
0005715950.tif 000014
【図１３】
0005715950.tif 000015
【図１４】
0005715950.tif 000016
【図１５】
0005715950.tif 000017
【図１６】
0005715950.tif 000018
【図１７】
0005715950.tif 000019
【図１８】
0005715950.tif 000020
【図１９】
0005715950.tif 000021
【図２０】
0005715950.tif 000022
【図２１】
0005715950.tif 000023
【図２２】
0005715950.tif 000024
【図２３】
0005715950.tif 000025
【図２４】
0005715950.tif 000026
【図２５】
0005715950.tif 000027
【図２６】
0005715950.tif 000028
【図２７】
0005715950.tif 000029
【図２８】
0005715950.tif 000030
【図２９】
0005715950.tif 000031
【図３０】
0005715950.tif 000032
【図３１】
0005715950.tif 000033
【図３２】
0005715950.tif 000034
【図３３】
0005715950.tif 000035
【図３４】
0005715950.tif 000036
【図３５】
0005715950.tif 000037
【図３６】
0005715950.tif 000038
【図３７】
0005715950.tif 000039
【図３８】
0005715950.tif 000040
【図３９】
0005715950.tif 000041
【図４０】
0005715950.tif 000042